(57)【要約】【課題】集客力の弱い時間帯を発生させることなく、集客の向上を図ることのできるクーポン管理情報生成装置を提供することを目的とする。【解決手段】クーポン管理情報を生成するクーポン管理情報生成装置は、クーポン管理情報に基づいてクーポンを発行するクーポン発行装置から、サービスの提供における時間帯毎に対応付けられたクーポン管理情報を取得し、サービス提供者の提供における各時間帯において、集客の程度が低い時間帯ほど、当該時間帯におけるサービスに対する代金の割引が高くなるように、当該時間帯に対応付けられたクーポン管理情報が示す割引を変更し、変更された割引を示す変更後のクーポン管理情報を、当該時間帯と対応付けて、前記クーポン管理装置へ送信する。【選択図】図２
2010055360.tif 000002
【特許請求の範囲】
【請求項１】
サービスに対する代金の割引を示すクーポン管理情報を生成するクーポン管理情報生成装置であって、
クーポン管理情報に基づいてクーポンを発行するクーポン発行装置から、サービスの提供における時間帯毎の平均的な集客の程度を示すテンプレートを取得する取得手段と、
前記テンプレートを用いて、サービス提供者のサービス提供における各時間帯において、集客の程度が低い時間帯ほど、当該時間帯におけるサービスに対する代金の割引が高くなるように割引を決定し、決定した割引を示すクーポン管理情報を生成する生成手段と、
生成された前記クーポン管理情報を、当該時間帯と対応付けて、前記クーポン管理装置へ送信する送信手段と
を備えることを特徴とするクーポン管理情報生成装置。
【請求項２】
サービスに対する代金の割引を示すクーポン管理情報を生成するクーポン管理情報生成装置であって、
クーポン管理情報に基づいてクーポンを発行するクーポン発行装置から、サービスの提供における時間帯毎に対応付けられたクーポン管理情報を取得する取得手段と、
サービス提供者のサービス提供における各時間帯において、集客の程度が低い時間帯ほど、当該時間帯におけるサービスに対する代金の割引が高くなるように、当該時間帯に対応付けられたクーポン管理情報が示す割引とは別の割引を決定し、決定した別の割引を示す新たなクーポン管理情報を生成する生成手段と、
前記新たなクーポン管理情報を、当該時間帯と対応付けて、前記クーポン管理装置へ送信する送信手段と
を備えることを特徴とするクーポン管理情報生成装置。
【請求項３】
サービスに対する代金の割引を示すクーポンを発行するクーポン発行装置であって、
集客の程度が低い時間帯ほど、当該時間帯におけるサービスに対する代金の割引が高くなるように請求項１又は２のクーポン管理情報生成装置にて設定された、当該割引を示すクーポン管理情報を、当該時間帯と対応付けて記憶している記憶手段と、
ユーザが利用するユーザ端末から、前記クーポンの要求を受け付けると、前記クーポン管理情報が示す割引を示し、前記クーポン管理情報が対応付けられた前記時間帯を有効期間とするクーポンを生成するクーポン生成手段と、
前記クーポンを前記ユーザ端末へ送信する送信手段と
を備えることを特徴とするクーポン発行装置。
【請求項４】
サービスに対する代金の割引を示すクーポンを発行するクーポン発行装置であって、
サービスの提供場所における時間帯毎の集客の程度を記憶している記憶手段と、
利用者からサービスの提供場所及び利用時間帯を指定したクーポン発行要求を受け取る受取手段と、
前記クーポン発行要求により指定された提供場所及び利用時間帯に応じた集客の程度を前記記憶手段から読み出し、当該提供場所及び利用時間帯における集客の程度が低いほど、サービスに対する代金の割引が高くなるように割引を決定する決定手段と、
決定した割引を示すクーポンを生成する生成手段と、
生成した前記クーポンを前記利用者が利用する端末へ送信する送信手段と
を備えることを特徴とするクーポン発行装置。
【請求項５】
サービスに対する代金の割引を示すクーポン管理情報を生成するクーポン管理情報生成装置と、サービスに対する代金の割引を示すクーポンを発行するクーポン発行装置と、クーポンを受け取るユーザ端末とからなるクーポン配布システムであって、
前記クーポン管理情報生成装置は、
サービスを提供する提供時間帯のうち、当該店舗における集客の程度が低い時間帯ほど、当該時間帯におけるサービスに対する代金の割引が高くなるように、発行されるクーポンが示す割引を示すクーポン管理情報を生成する生成手段と、
前記クーポン管理情報を、当該時間帯と対応付けて、前記クーポン管理装置へ送信する送信手段とを備え、
前記クーポン管理装置は、
前記クーポン管理情報生成装置から受け取ったクーポン管理情報と前記時間帯とを対応付けて記憶している記憶手段と、
前記ユーザ端末から、前記クーポンの要求を受け付けると、前記クーポン管理情報が示す割引を示し、前記クーポン管理情報が対応付けられた当該時間帯を有効期間とするクーポンを生成するクーポン生成手段と、
前記クーポンを前記ユーザ端末へ送信する送信手段とを備え、
前記ユーザ端末は、
前記クーポン発行装置へクーポンを要求し、その後、要求した前記クーポンを前記クーポン発行装置から受け取ると、受け取った前記クーポンを保存する
ことを特徴とするクーポン配布システム。
【発明の詳細な説明】
【技術分野】
【０００１】
本発明は、クーポンの発行及び配布を行うクーポン配布システムに係る技術に関する。
【背景技術】
【０００２】
従来、サービス業を営む店舗において、顧客の来店、つまり集客の向上を図るために、いろいろな対策が施されている。
例えば、特許文献１では、店舗への顧客の来店を促進するための広告宣伝システムが開示されている。この広告宣伝システムでは、携帯電話機と当該電話機に装着される補助装置とを用いて、サーバサイトへ接続し、接続したサーバサイトから店舗で利用できる割引クーポンを取得する技術が開示されている。
【０００３】
これにより、ユーザは店舗に出向いて割引クーポンを該店舗に提示し利用する確率が高まる。
【特許文献１】特開２００３−３４６０３４号公報
【発明の開示】
【発明が解決しようとする課題】
【０００４】
しかしながら、上記の技術では、取得した割引クーポンは、営業時間内であれば、いつでも利用できるため、店舗を利用する顧客が、ある時間帯に偏ってしまう可能性がある。
例えば、店舗を利用する顧客層が社会人であれば、仕事を終えた時間帯（１９：００〜２０：００）に店舗へ来店することが主である。そのため、この時間帯に、顧客が集中してしまうと、集客の弱い時間帯ができてしまい、営業時間全体として、集客が上がらないという問題が発生する。この問題により、売り上げの増加が見込めないこととなる。
【０００５】
そこで、本発明は、集客力の弱い時間帯を発生させることなく、集客の向上を図ることのできるクーポン管理情報生成装置、クーポン発行装置及びクーポン配布システムを提供することを目的とする。
【課題を解決するための手段】
【０００６】
上記目的を達成するために、本発明は、サービスに対する代金の割引を示すクーポン管理情報を生成するクーポン管理情報生成装置であって、クーポン管理情報に基づいてクーポンを発行するクーポン発行装置から、サービスの提供における時間帯毎の平均的な集客の程度を示すテンプレートを取得する取得手段と、前記テンプレートを用いて、サービス提供者のサービス提供における各時間帯において、集客の程度が低い時間帯ほど、当該時間帯におけるサービスに対する代金の割引が高くなるように割引を決定し、決定した割引を示すクーポン管理情報を生成する生成手段と、生成された前記クーポン管理情報を、当該時間帯と対応付けて、前記クーポン管理装置へ送信する送信手段とを備えることを特徴とする。
【０００７】
または、サービスに対する代金の割引を示すクーポン管理情報を生成するクーポン管理情報生成装置であって、クーポン管理情報に基づいてクーポンを発行するクーポン発行装置から、サービスの提供における時間帯毎に対応付けられたクーポン管理情報を取得する取得手段と、サービス提供者のサービス提供における各時間帯において、集客の程度が低い時間帯ほど、当該時間帯におけるサービスに対する代金の割引が高くなるように、当該時間帯に対応付けられたクーポン管理情報が示す割引とは別の割引を決定し、決定した別の割引を示す新たなクーポン管理情報を生成する生成手段と、前記新たなクーポン管理情報を、当該時間帯と対応付けて、前記クーポン管理装置へ送信する送信手段とを備えることを特徴とする。
【発明の効果】
【０００８】
これらの構成によると、クーポン管理情報生成装置は、集客の程度が低い時間帯ほど、当該時間帯におけるサービスに対する代金の割引が高くなるように、割引を決定し、決定した割引を示すクーポン管理情報を生成し、当該時間帯と対応付けて、クーポン管理装置へ送信する。これにより、前記クーポン管理装置にて、クーポン管理情報が示す割引を示すクーポンを発行し、利用者に配布することができるので、クーポンを受け取ったユーザは、そのクーポン利用するために、集客の程度の低い時間帯にクーポンを利用してサービスの提供を受けようとする。つまり、サービスの提供者側においては、集客の程度の低い時間帯において集客を図ることができる。
【０００９】
また、サービスの提供者側は、集客の程度の低い時間帯において集客を図ることができるので、当該時間帯においても当該サービスの提供者側が備える設備及び在庫を効率良く利用することができる。
また、本発明は、サービスに対する代金の割引を示すクーポンを発行するクーポン発行装置であって、集客の程度が低い時間帯ほど、当該時間帯におけるサービスに対する代金の割引が高くなるように上述した前記クーポン管理情報生成装置にて設定された、当該割引を示すクーポン管理情報を、当該時間帯と対応付けて記憶している記憶手段と、ユーザが利用するユーザ端末から、前記クーポンの要求を受け付けると、前記クーポン管理情報が示す割引を示し、前記クーポン管理情報が対応付けられた前記時間帯を有効期間とするクーポンを生成するクーポン生成手段と、前記クーポンを前記ユーザ端末へ送信する送信手段とを備えることを特徴とする。
【００１０】
または、本発明は、サービスに対する代金の割引を示すクーポンを発行するクーポン発行装置であって、サービスの提供場所における時間帯毎の集客の程度を記憶している記憶手段と、利用者からサービスの提供場所及び利用時間帯を指定したクーポン発行要求を受け取る受取手段と、前記クーポン発行要求により指定された提供場所及び利用時間帯に応じた集客の程度を前記記憶手段から読み出し、当該提供場所及び利用時間帯における集客の程度が低いほど、サービスに対する代金の割引が高くなるように割引を決定する決定手段と、決定した割引を示すクーポンを生成する生成手段と、生成した前記クーポンを前記利用者が利用する端末へ送信する送信手段とを備えることを特徴とする。
【００１１】
これらの構成によると、クーポン発行装置は、集客の程度の低い時間帯に利用できるクーポンをユーザへ配布するので、クーポンを受け取ったユーザは、そのクーポン利用するために、集客の程度の低い時間帯にクーポンを利用してサービスの提供を受けようとする。つまり、サービスの提供者側においては、集客の程度の低い時間帯において集客を図ることができる。
【００１２】
また、本発明は、サービスに対する代金の割引を示すクーポン管理情報を生成するクーポン管理情報生成装置と、サービスに対する代金の割引を示すクーポンを発行するクーポン発行装置と、クーポンを受け取るユーザ端末とからなるクーポン配布システムであって、前記クーポン管理情報生成装置は、サービスを提供する提供時間帯のうち、当該店舗における集客の程度が低い時間帯ほど、当該時間帯におけるサービスに対する代金の割引が高くなるように、発行されるクーポンが示す割引を示すクーポン管理情報を生成する生成手段と、前記クーポン管理情報を、当該時間帯と対応付けて、前記クーポン管理装置へ送信する送信手段とを備え、前記クーポン管理装置は、前記クーポン管理情報生成装置から受け取ったクーポン管理情報と前記時間帯とを対応付けて記憶している記憶手段と、前記ユーザ端末から、前記クーポンの要求を受け付けると、前記クーポン管理情報が示す割引を示し、前記クーポン管理情報が対応付けられた当該時間帯を有効期間とするクーポンを生成するクーポン生成手段と、前記クーポンを前記ユーザ端末へ送信する送信手段とを備え、前記ユーザ端末は、前記クーポン発行装置へクーポンを要求し、その後、要求した前記クーポンを前記クーポン発行装置から受け取ると、受け取った前記クーポンを保存することを特徴とする。
【００１３】
この構成によると、クーポン配布システムは、集客の程度の低い時間帯に利用できるクーポンをユーザへ配布するので、クーポンを受け取ったユーザは、そのクーポン利用するために、集客の程度の低い時間帯にクーポンを利用してサービスの提供を受けようとする。つまり、サービスの提供者側においては、集客の程度の低い時間帯において集客を図ることができる。
【００１４】
また、店舗は集客の程度の低い時間帯において集客を図ることができるので、当該時間帯においても当該店舗が備える設備及び在庫を効率良く利用することができる。
【発明を実施するための最良の形態】
【００１５】
１．実施の形態１
以下、本発明の実施の形態１について、図面を参照しながら説明する。
１．１  概要
本発明におけるクーポン配布システム１は、図１に示すように、店舗端末１０、管理装置２０、ユーザ端末３０及びネットワーク４０から構成されている。
【００１６】
店舗端末１０は、例えば飲食業を営む店舗に具備された端末であり、クーポン管理情報を生成（編集）し、生成（編集）したクーポン管理情報を、ネットワーク４０を介して管理装置２０へ送信する。ここで、クーポン管理情報とは、日別及び特定の時間毎に区切られた１つ以上の時間帯それぞれに対して割り当てられる割引クーポン（以下、単にクーポンともいう。）の種別と、当該クーポンの利用可能枚数とからなる情報である。なお、各時間帯には複数種類のクーポン（各クーポンは割引率が異なる）を割り当てることができる。つまり、店舗端末１０は、同一の時間帯にクーポンの種別が異なる複数のクーポン管理情報を生成することができる。本実施の形態では、クーポンの種類として、ランチサービスの時間帯に利用できる「ランチクーポン」（例えば、１００円ＯＦＦ）、営業時間帯ならいるでも利用できる「いつでもクーポン」（たとえば、合計金額の２０％割引）、特定の時間帯に特定の割引を行う「３０％割クーポン」（例えば、合計金額の３０％割引）及び「５０％割クーポン」（例えば、ドリンク以外の合計金額の５０％割引）の４種類を用いて説明する。なお、クーポンの種類（割引率や値引金額）は、これらに限定されない。割引率や値引金額は他の値であってもよいし、割引対象の上記以外の他のもの（例えば、ドリンクの合計金額）にしてもよい。なお、本発明における割引とは、割引率や値引金額を含む概念である。
【００１７】
管理装置２０は、店舗端末１０に割り当てられ且つ当該店舗端末１０を識別するための店舗ＩＤと、店舗端末１０が生成したクーポン管理情報と、店舗端末１０を備える店舗に係る店舗案内情報とを対応付けて記憶している。管理装置２０は、ユーザ端末３０からの指示によりクーポンを、ネットワーク４０を介して送信する。つまり、管理装置２０は、クーポン管理情報の管理、及びクーポンの発行を行う装置である。店舗案内情報については、後述する。
【００１８】
ユーザ端末３０は、ある店舗のクーポンを取得したい場合には、所望する店舗に対応する店舗ＩＤ及び時間帯に割り当てられたクーポンを管理装置２０からダウンロードし、ダウンロードしたクーポンを保存する。なお、保存されたクーポンは、他の端末への送信（転送）や、改ざんはできないように保護されている。この保護方法については、既知の技術であるので、ここでの説明は省略する。
【００１９】
ユーザは、利用する店舗において、ユーザ端末３０に保存されたクーポンを掲示することにより、当該店舗において割引サービスを受けることができる。
１．２  店舗端末１０の構成
店舗端末１０は、図２に示すように、店舗ＩＤ記憶部１０１、編集部１０２、入力部１０３、表示部１０４及び送受信部１０５から構成されている。
【００２０】
具体的には、マイクロプロセッサ、ＲＯＭ、ＲＡＭ、ハードディスクユニット、キーボード、マウス、ディスプレイユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、店舗端末１０にその機能を達成させる。
【００２１】
（１）店舗ＩＤ記憶部１０１
店舗ＩＤ記憶部１０１は、クーポン配布システム１に加入する際に、管理装置２０により発行された店舗ＩＤを記憶している。なお、店舗ＩＤの発行は、他の装置であってもよい。
（２）編集部１０２
編集部１０２は、入力部１０３からクーポン管理情報を編集（生成）を開始する旨の編集開始指示を受け取ると、店舗ＩＤ記憶部１０１に記憶している店舗ＩＤと、受け取った編集開始指示とからなる編集開始情報を、送受信部１０５を介して管理装置２０へ送信する。
【００２２】
編集部１０２は、送受信部１０５を介して管理装置２０から、現在日を含む月に割り当てられた複数のクーポン管理情報と、当該複数のクーポン管理情報それぞれが割り当てられた各時間帯を示す時間情報と、前記複数のクーポン管理情報を月単位で表示するための月表示フォームとからなるクーポン管理表示情報を受け取る。
前記複数のクーポン管理情報は、クーポン管理表示情報に含まれる月表示フォームに基づいて、表示部１０４により図３にて示す月間管理画面Ｍ１０として表示される。
【００２３】
なお、送信した店舗ＩＤに対応するクーポン管理情報が管理装置２０に存在しない場合、例えば、初めてクーポン管理情報を生成する場合には、管理装置２０にて予め用意している各時間帯毎に割り当てられた１つ以上のクーポン管理情報（以下、パターン情報という。）と、各パターン情報に割り当てられた各時間情報と、前記月表示フォームとからなるクーポン管理表示情報を受け取る。パターン情報は、例えば、平均的なサービスの提供における時間帯毎に対応付けられた情報である。
【００２４】
ユーザは、表示された月間管理画面Ｍ１０を用いて、クーポン管理情報を編集することができる。
また、日別単位に編集を行いたい場合には、月間管理画面Ｍ１０において編集したい日を押下することで、押下された日に割り当てられた１つ以上のクーポン管理情報が、図４にて示すデイリー管理画面Ｍ１１として表示される。ここでは、デイリー管理画面Ｍ１１は、押下された日から１週間に割り当てられた複数のクーポン管理情報を表示しているが、押下された日に割り当てられた１つ以上のクーポン管理情報のみを表示するようにしてもよい。
【００２５】
編集部１０２は、入力部１０３から、クーポン管理情報の変更に係る変更情報（例えば、変更対象のクーポンと変更枚数、及び変更対象の日と時間帯）を受け取ると、受け取った変更情報に基づいて、変更対象の時間帯における変更対象クーポンの枚数変更を行い、表示中の月間管理画面Ｍ１０及びデイリー管理画面Ｍ１１の何れかを用いて、変更結果を表示する。
【００２６】
編集部１０２は、入力部１０３から、クーポン管理情報の登録を示す旨の登録指示を受け取ると、店舗ＩＤと、現在表示中の全てのクーポン管理情報と、受け取った登録指示とからなる登録情報を、送受信部１０５を介して管理装置２０へ送信する。
以下、月間管理画面Ｍ１０及びデイリー管理画面Ｍ１１について説明する。
月間管理画面Ｍ１０には、パターン追加ボタンＭ１０１、パターン変更ボタンＭ１０２、パターン編集ボタンＭ１０３、クーポン情報編集ボタンＭ１０４及びカレンダーＭ１０５が含まれる。
【００２７】
パターン追加ボタンＭ１０１は、店舗の営業時間内における複数の時間帯それぞれに対して割り当てるクーポン種類及び枚数を日付毎に事前に登録したい場合に、押下される。
パターン編集ボタンＭ１０３は、既に登録しているパターンに対して編集を行いたい場合に、押下される。押下後、編集操作にて受け付けた情報が、上述した変更情報である。
パターン変更ボタンＭ１０２は、現在利用されている内容（日付毎に割り当てられたクーポン種類及び枚数の登録内容）を他の内容（編集後に表示している内容）へと変更を行いたい場合に、押下される。パターン変更ボタンＭ１０２の押下により、上述した登録指示が受け付けられる。
【００２８】
クーポン情報編集ボタンＭ１０４は、店舗端末１０の利用者がクーポンの種類を編集したい場合に、押下される。
カレンダーＭ１０５は、現在日を含む月において、日ごとに割り当てられたクーポンの種類及びその枚数を表示する。店舗端末１０の利用者は、パターン追加ボタンＭ１０１、パターン変更ボタンＭ１０２及びパターン編集ボタンＭ１０３を利用することにより、クーポンをまとめて発行することができる。
【００２９】
デイリー管理画面Ｍ１１には、反映ボタンＭ１１０、キャンセルボタンＭ１１１、１週間におけるクーポンの発行の詳細を示す週別カレンダーＭ１１２が含まれる。反映ボタンＭ１１０は、クーポン管理情報の更新（クーポンの発行枚数の変更など）を行う場合に、押下される。反映ボタンＭ１１０の押下により、上述した登録指示が受け付けられる。キャンセルボタンＭ１１１は、クーポン管理情報の更新をキャンセルする場合に、押下される。週別カレンダーＭ１１２は、日別毎に、押下ボタンＭ１１３と、日別、時間帯、及びクーポンの種別毎に割り当てられたクーポンの枚数（利用可能枚数）をグラフとが含まれる。例えば、７／４（金）においては、１３：００〜１４：００に利用できる“ランチクーポン”が３枚割り当てられ、１１：００以降いつでも利用できる“いつでもクーポン２０”が１０枚割り当てられている。また、１７：００から１８：３０に利用できる３０％割クーポン及び５０％割クーポンそれぞれが１枚ずつ割り当てられている。
【００３０】
デイリー管理画面Ｍ１１を用いてクーポンの発行、変更等を行う場合について、以下に例示する。
現在表示されているグラフをユーザ操作（例えば、マウス操作）により変更したいグラフを指定し、指定したグラフをドラッグにより他の時間帯へ移動させる。または、指定したグラフをマウス操作により伸縮することで、利用可能な時間帯を変更する。
【００３１】
または、追加ボタンＭ１１３を押下して、押下された追加ボタンＭ１１３が割り当てられた日において、新たなクーポンの追加や現在発行されているクーポンの発行枚数を変更する。例えば、追加ボタンＭ１１３が押下されると、押下された追加ボタンＭ１１３が割り当てられた日において割り当てられた各種クーポンの発行枚数を新規登録及び変更するための画面が表示される。当該画面を用いて、新規登録を行うクーポンの種別及び発行枚数を受け付けることで、新規登録が可能となる。また、当該画面を用いて、現在発行可能なクーポンを指定し、指定したクーポンの発行枚数を変更する。
【００３２】
これらの操作による変更内容が、上述した変更情報として受け付けられる。
月間管理画面Ｍ１０及びデイリー管理画面Ｍ１１を用いて、日別毎に集客の弱い時間帯に対して、３０％割クーポンや５０％割クーポンといった他のクーポンによる割引率よりも大きな割引率であるクーポン管理情報の新規登録や変更を行うことで、日別毎に当該時間帯に対して集客のアップを図ることができる。
【００３３】
（３）入力部１０３、表示部１０４及び送受信部１０５
入力部１０３は、ユーザの操作により、編集開始指示を受け付けると、受け付けた編集開始指示を編集部１０２へ出力する。入力部１０３は、月間管理画面Ｍ１０やデイリー管理画面Ｍ１１が表示部１０４にて表示されている間に、ユーザ操作により変更情報や登録指示を受け付けると、受け付けた変更情報や登録指示を編集部１０２へ出力する。
【００３４】
表示部１０４は、月間管理画面Ｍ１０及びデイリー管理画面Ｍ１１を表示する。
送受信部１０５は、編集部１０２から編集開始情報、及び登録情報を受け取ると、ネットワーク４０を介して管理装置２０へ送信する。送受信部１０５は、ネットワーク４０を介して管理装置２０から、クーポン管理表示情報を受け取ると、受け取ったクーポン管理情報を編集部１０２へ出力する。
【００３５】
１．３  ユーザ端末３０の構成
ユーザ端末３０は、具体的には携帯電話機であり、図５に示すように、ユーザＩＤ記憶部３０１、クーポン記憶部３０２、制御部３０３、入力部３０４、表示部３０５及び送受信部３０６からから構成されている。なお、図示していないが、携帯電話機の機能をも具備している。
【００３６】
具体的には、マイクロプロセッサ、ＲＯＭ、ＲＡＭ、ハードディスクユニット、キーボード、マウス、ディスプレイユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、ユーザ端末３０にその機能を達成させる。
【００３７】
（１）ユーザＩＤ記憶部３０１
ユーザＩＤ記憶部３０１は、自端末のユーザを識別するために、当該端末一意に識別するユーザＩＤを記憶している。ユーザＩＤは、例えば、自端末の電話番号である。
（２）クーポン記憶部３０２
クーポン記憶部３０２は、管理装置２０から送信されたクーポンを１個以上記憶するための記憶領域を有している。なお、クーポン記憶部３０２で記憶されているクーポンは、「１．１概要」にて述べたように、他の端末への送信（転送）や、改ざんはできないように保護されている。
【００３８】
（３）制御部３０３
制御部３０３は、図２にて示すように、クーポン表示処理部３１０及びダウンロード処理部３１１を有している。
制御部３０３は、クーポン表示処理部３１０及びダウンロード処理部３１１により、ユーザが所望する店舗が発行したクーポンの表示及びダウンロードに係る処理を行う。
【００３９】
（３−１）クーポン表示処理部３１０
ユーザ操作によりネットワーク４０を介して管理装置２０とネットワーク接続がなされると、クーポン表示処理部３１０は、送受信部３０６を介して、ユーザが所望する店舗を検索するための検索情報と、当該検索情報を表示するための第１のフォームとからなる検索表示情報を受け取る。ここで、検索情報は、クーポンの種類を選択するための種類情報、利用するエリアを指定するためのエリア情報及び利用時間を指定するための時間情報とからなる情報である。
【００４０】
前記検索情報は、検索表示情報に含まれる第１のフォームに基づいて、表示部３０５により図６にて示す検索画面Ｍ３０として表示される。
検索画面Ｍ３０には、検索条件を入力するために、クーポンの種類Ｍ３０１、エリアＭ３０２、時間Ｍ３０３が含まれ、さらに、検索を指示するための検索ボタンＭ３０４が含まれる。クーポンの種類Ｍ３０１は、検索可能なクーポンの種類が記載されており、チェックボックスにチェックを入れることで、検索対象のクーポンを指定することができる。エリアＭ３０２には、利用したい店舗の所在を指定する。時間Ｍ３０３には、利用したい時間を指定する。
【００４１】
ユーザは表示された検索画面Ｍ３０を用いて、所望するクーポンの種類、エリア、時間を指定して、指定した各情報（クーポンの種類、エリア及び時間）を検索条件とすることができる。
クーポン表示処理部３１０は、検索画面Ｍ３０が表示されている間に、ユーザ操作にて検索ボタンが押下されると、ユーザＩＤ記憶部３０１からユーザＩＤを取得し、取得したユーザＩＤとユーザにて指定された検索条件（クーポンの種類、エリア及び時間）とを、送受信部３０６を介して管理装置２０へ送信する。クーポン表示処理部３１０は、検索条件の送信後、送受信部３０６を介して管理装置２０から、検索条件に基づく検索結果と、検索結果を表示するための第２のフォームとからなる検索結果表示情報を受け取る。検索結果には、検索条件を満たす１以上の店舗名と、１以上の店舗名それぞれに対して当該店舗名が示す店舗にて利用可能なクーポンに係る１つ以上のクーポン情報からなるクーポン情報群とが含まれる。
【００４２】
前記検索結果は、検索結果表示情報に含まれる第２のフォームに基づいて、表示部３０５により図７にて示す検索結果画面Ｍ３１として表示される。
検索結果画面Ｍ３１には、店舗名Ｍ３１０と、店舗名Ｍ３１０に対応付けられたクーポン情報群Ｍ３１１とが含まれる。店舗名Ｍ３１０にはリンクが貼られており、店舗名Ｍ３１０を押下することで、リンク先を表示することができる。ここでのリンク先は、店舗名Ｍ３１０にて示される店舗の店舗案内情報である。クーポン情報は、利用可能なクーポンの種別及び利用可能な日時及び時間帯を示す情報である。店舗案内情報については、後述する。
【００４３】
クーポン表示処理部３１０は、検索結果画面Ｍ３１が表示されている間に、ユーザ操作にて店舗名Ｍ３１０が押下されると、ユーザＩＤとユーザにて指定された店舗名とを、送受信部３０６を介して管理装置２０へ送信する。その後、クーポン表示処理部３１０は、送受信部３０６を介して管理装置２０から、指定された店舗の店舗名と、当該店舗に係る店舗案内情報と、当該店舗に対応するクーポン情報群と、これらの情報を表示するための第３のフォームとからなる店舗案内表示情報を受け取る。店舗案内情報には、指定された店舗の詳細情報と、当該店舗に対応するクーポン情報群とが含まれる。ここで、詳細情報には、業態、定休日、営業時間、ラストオーダー時間（Ｌ．Ｏ．）、予算、座席数、個室や駐車場の有無、セールスポイントなどを示す情報が含まれる。
【００４４】
店舗案内情報は、店舗案内表示情報に含まれる第３のフォームを用いて、表示部３０５により図８にて示す店舗案内画面Ｍ３２として表示される。
店舗案内画面Ｍ３２には、検索結果画面Ｍ３１と同様の店舗名Ｍ３２２及びクーポン情報群Ｍ３２０と、当該店舗に係る詳細情報Ｍ３２１とが含まれる。クーポン情報群Ｍ３２０に含まれる１以上のクーポン情報は一種のボタンであり、クーポン情報群Ｍ３２０に含まれる１のクーポン情報を押下することにより、押下されたクーポン情報に係る情報（ここでは、クーポン詳細情報）を表示することができる。クーポン詳細情報については、後述する。
【００４５】
クーポン表示処理部３１０は、店舗案内画面Ｍ３２が表示されている間に、ユーザ操作にて所望するクーポンが選択されると、ユーザにて選択されたクーポン情報を示す選択情報と、ユーザＩＤとを、送受信部３０６を介して管理装置２０へ送信する。その後、クーポン表示処理部３１０は、店舗名と、発行対象のクーポンの種別と、当該クーポンによる割引率を示す割引情報と、クーポン詳細情報と、これらの情報を表示するための第４のフォームとからなる選択クーポン表示情報を受け取る。クーポン詳細情報には、選択されたクーポン情報が示すクーポンの利用有効期間や利用条件を示す情報が含まれる。
【００４６】
クーポン詳細情報は、選択クーポン表示情報に含まれる第４のフォームに基づいて、表示部３０５により図９にて示す選択クーポン確認画面Ｍ３３として表示される。
選択クーポン確認画面Ｍ３３には、選択されたクーポン情報が示すクーポンのクーポン詳細情報Ｍ３３０と、クーポンのダウンロードを指示するためのダウンロードボタンＭ３３１と、利用有効店舗名Ｍ３３２と、クーポンの種類Ｍ３３３と、当該クーポンによる割引率を示す割引情報Ｍ３３４とが含まれる。ここで、利用有効店舗名Ｍ３３２は、ユーザにより指定され、且つ当該クーポンの利用可能な店舗を示す。
【００４７】
（３−２）ダウンロード処理部３１１
選択クーポン確認画面Ｍ３３が表示されている間に、ダウンロードボタンＭ３３１が押下されると、ダウンロード処理部３１１は、ユーザＩＤ記憶部３０１からユーザＩＤを取得し、取得したユーザＩＤとダウンロードを指示する旨のダウンロード指示命令とからなるダウンロード開始指示情報を、送受信部３０６を介して管理装置２０へ送信する。
【００４８】
ダウンロード処理部３１１は、ダウンロードボタンＭ３３１が押下後において、課金対象、つまり発行対象のクーポンの種別と、課金の承諾を求める課金確認情報と、これらの情報を表示するための第５のフォームとからなる課金確認表示情報を、送受信部３０６を介して管理装置２０から受け取る。課金確認情報には、発行対象のクーポンの購入価格を示す情報が含まれる。
【００４９】
課金情報は、課金確認表示情報に含まれる第５のフォームに基づいて、表示部３０５により図１０にて示す課金確認画面Ｍ３４として表示される。
課金確認画面Ｍ３４には、クーポン種別Ｍ３４２と、課金確認情報Ｍ３４０と、課金を同意することを通知するための同意メッセージＭ３４１が含まれる。
同意メッセージＭ３４１は一種のボタンであり、ユーザ操作により同意メッセージＭ３４１が押下されることで、管理装置２０に課金（クーポンの購入）に同意することが通知される。
【００５０】
課金確認画面Ｍ３４が表示されている間に、ユーザが課金確認情報Ｍ３４０に含まれる価格に同意する場合には、同意メッセージＭ３４１が押下（選択）される。このとき、ダウンロード処理部３１１は、課金に承諾したことを示す承諾情報とユーザＩＤとを、送受信部３０６を介して管理装置２０へ送信する。
選択クーポン確認画面Ｍ３３の表示時におけるダウンロードボタンＭ３３１の押下後、又は課金確認画面Ｍ３４の表示時における同意メッセージＭ３４１の押下後において、ダウンロード処理部３１１は、クーポンと、当該クーポンを表示するための第６のフォームとからなる取得クーポン表示情報を受け取る。クーポンは、利用可能店舗を示す店舗名（つまり、ユーザが選択した店舗名）と、クーポンの種別、割引情報、クーポンの利用に係る利用情報（クーポンの利用有効期間や利用条件）を含む情報である。
【００５１】
クーポンは、取得クーポン表示情報に含まれる第６のフォームに基づいて、表示部３０５により図１０にて示す取得クーポン表示画面Ｍ３５として表示される。
取得クーポン表示画面Ｍ３５には、利用有効店舗名Ｍ３５０、クーポンの種類Ｍ３５１、当該クーポンによる割引率を示す割引情報Ｍ３５２や、利用情報Ｍ３５３（クーポンの利用有効期間や利用条件）が含まれる。
【００５２】
表示されたクーポンは、ユーザ操作によりクーポン記憶部３０２へ保存され、ユーザがクーポンを利用する際には、記憶されているクーポンは、表示部３０５にて取得クーポン表示画面Ｍ３５として表示されることにより、利用可能となる。
（４）入力部３０４、表示部３０５及び送受信部３０６
入力部３０４は、管理装置２０へのネットワーク接続時、及び各画面Ｍ３０、Ｍ３１、Ｍ３２、Ｍ３３、Ｍ３４の表示時におけるユーザによる操作を受け付ける。
【００５３】
表示部３０５は、検索画面Ｍ３０、検索結果画面Ｍ３１、店舗案内画面Ｍ３２、選択クーポン確認画面Ｍ３３、及び課金確認画面Ｍ３４を表示する。
送受信部３０６は、制御部３０３から受け取ったユーザＩＤ、検索条件、店舗名、選択情報、ダウンロード開始指示情報、及び承諾情報を、ネットワーク４０を介して管理装置２０へ送信する。
【００５４】
送受信部３０６は、ネットワーク４０を介して管理装置２０から受け取った検索表示情報、検索結果表示情報、店舗案内表示情報、クーポン詳細情報、課金確認表示情報、及び取得クーポン表示情報を制御部３０３へ出力する。
１．４  管理装置２０
管理装置２０は、図１２に示すように、クーポン管理情報記憶部２０１、店舗ＩＤ記憶部２０２、ユーザＩＤ記憶部２０３、登録処理部２０４、クーポン送付処理部２０５、課金処理部２０６及び送受信部２０７から構成されている。
【００５５】
具体的には、マイクロプロセッサ、ＲＯＭ、ＲＡＭ、ハードディスクユニット、キーボード、マウス、ディスプレイユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、管理装置２０にその機能を達成させる。
【００５６】
（１）クーポン管理情報記憶部２０１
クーポン管理情報記憶部２０１は、店舗端末１０にて編集された１つ以上クーポン情報を、それぞれに割り当てられた日付及び時間帯毎に、店舗ＩＤに対応付けて管理している。
クーポン管理情報記憶部２０１は、店舗ＩＤと、当該店舗ＩＤが割り当てられた店舗名と、該店舗の店舗案内情報と、当該店舗に係るその他の店舗情報（住所、電話番号）を対応付けて管理している。
【００５７】
クーポン管理情報記憶部２０１は、記憶するクーポン管理情報に含まれるクーポンの種別と、割引率又は値引きを示す割引情報とを対応付けて記憶している。
クーポン管理情報記憶部２０１は、クーポンの種別それぞれに対して、当該クーポンの種別にて示されるクーポンの利用するための条件を示す利用条件を記憶している。なお、店舗毎に利用条件が異なる場合には、クーポン管理情報記憶部２０１は、店舗ＩＤ毎に利用条件を対応付けて記憶している。
【００５８】
また、クーポン管理情報記憶部２０１は、各時間帯毎に割り当てられた１つ以上のパターン情報を予め記憶している。
（２）店舗ＩＤ記憶部２０２、ユーザＩＤ記憶部２０３
店舗ＩＤ記憶部２０２は、１つ以上の店舗端末それぞれに割り当てられた店舗ＩＤを記憶している。ここでは、少なくとも店舗端末１０の店舗ＩＤが記憶されている。
【００５９】
この店舗ＩＤ記憶部２０２に記憶されている店舗ＩＤに割り当てられた店舗端末のみが、クーポン管理情報の編集が可能、つまり、当該店舗端末を有する店舗におけるクーポン管理情報を生成することができる。
ユーザＩＤ記憶部２０３は、毎月定額の料金（例えば、３１５円）を当該管理装置を管理する管理者へ支払うことに同意しているユーザ（以下、会員という。）のユーザＩＤ、つまり会員が所有するユーザ端末が記憶しているユーザＩＤを記憶している。
【００６０】
（３）登録処理部２０４
登録処理部２０４は、送受信部２０７を介して店舗端末１０から、編集開始情報を受け取ると、受け取った編集開始情報に含まれる店舗ＩＤを取得する。
登録処理部２０４は、現在日を含む月に割り当てられ、且つ取得した店舗ＩＤに対応する複数のクーポン管理情報をクーポン管理情報記憶部２０１から取得する。
【００６１】
登録処理部２０４は、取得した複数のクーポン管理情報と、当該複数のクーポン管理情報それぞれに割り当てられた各時間情報と月表示フォームとを含むクーポン管理表示情報を、送受信部２０７を介して店舗端末１０へ送信する。なお、送信した店舗ＩＤに対応するクーポン管理情報が管理装置２０に存在しない場合は、登録処理部２０４は、予め記憶している全てのパターン情報をクーポン管理情報記憶部２０１から取得し、取得した全てのパターン情報と、これらパターン情報に割り当てられた各時間情報と月表示フォームとを含むクーポン管理表示情報を店舗端末１０へ送信する。
【００６２】
登録処理部２０４は、送受信部２０７を介して店舗端末１０から、登録情報を受け取ると、受け取った登録情報から店舗ＩＤ及び全てのクーポン管理情報を抽出する。
登録処理部２０４は、クーポン管理情報記憶部２０１において、抽出した店舗ＩＤと同一の店舗ＩＤに割り当てられたクーポン管理情報を、抽出した全てのクーポン管理情報へと更新する。なお、抽出した店舗ＩＤに対応するクーポン管理情報が、クーポン管理情報に存在しない場合には、登録処理部２０４は、抽出した全てのクーポン管理情報を、抽出した店舗ＩＤと対応付けて、記憶する。
【００６３】
（４）クーポン送付処理部２０５
クーポン送付処理部２０５は、第１から第４、及び第６のフォームを予め記憶している。
ユーザ端末３０とのネットワーク接続時において、クーポン送付処理部２０５は、検索表示情報を、送受信部２０７を介してユーザ端末３０へ送信する。
【００６４】
クーポン送付処理部２０５は、ユーザＩＤと検索条件とを、送受信部２０７を介してユーザ端末から受け取ると、クーポン管理情報記憶部２０１にて記憶している全てのクーポン管理情報と、全ての店舗名と、これら店舗名それぞれに対応する店舗案内情報及びその他の店舗情報とを用いて、検索条件を満たす、つまり検索条件に含まれるエリアに存在し、検索条件と指定された時間に、チェックボックスにチェックされたクーポンに対応し、利用可能枚数が１以上であるクーポン管理情報を割り当てている１つ以上の店舗名を取得する。クーポン送付処理部２０５は、取得した１以上の店舗名それぞれに対して、当該店舗名に対応する店舗ＩＤを用いて現在利用できるクーポンを示す１つ以上のクーポン管理情報を取得し、取得したクーポン管理情報それぞれを用いて、１つ以上のクーポン情報群を生成する。クーポン送付処理部２０５は、取得した１つ以上の店舗名と、前記１つ以上の店舗名それぞれに対応するクーポン情報群とからなる検索結果と、第２のフォームとを含む検索結果表示情報を、受け取ったユーザＩＤに基づいて、送受信部２０７を介してユーザ端末３０へ送信する。
【００６５】
クーポン送付処理部２０５は、ユーザＩＤと指定された店舗名とを、送受信部２０７を介してユーザ端末３０から受け取ると、受け取った店舗名に対応する店舗案内情報を、クーポン管理情報記憶部２０１から取得する。クーポン管理情報記憶部２０１は、取得した店舗案内情報と、店舗名（受け取った店舗名と同一である。）と、前記店舗名に対応するクーポン情報群と、第３のフォームを含む店舗案内表示情報を、受け取ったユーザＩＤに基づいて、送受信部２０７を介してユーザ端末３０へ送信する。また、クーポン送付処理部２０５は、受け取った店舗名に対応する店舗ＩＤと、受け取ったユーザＩＤとを対応付けて一時的に記憶する。
【００６６】
クーポン送付処理部２０５は、ユーザＩＤと選択情報とを、送受信部２０７を介してユーザ端末３０から受け取ると、一時的に記憶し、且つ受け取ったユーザＩＤと同一のユーザＩＤに対応する店舗ＩＤを取得する。クーポン送付処理部２０５は、取得した店舗ＩＤに対応し、且つ受け取った選択情報が示すクーポン情報に対応するクーポン管理情報と、前記店舗ＩＤとを用いて、店舗名、クーポンの種別、割引情報を取得する。また、クーポン送付処理部２０５は、選択情報が示すクーポン情報に対応するクーポン管理情報に割り当てられた日付及び時間帯と、クーポン管理情報記憶部２０１に記憶されている利用条件とからクーポン詳細情報を生成する。クーポン送付処理部２０５は、取得した店舗名、クーポンの種別、及び割引情報と、生成したクーポン詳細情報と、第４のフォームとを含む選択クーポン表示情報を、受け取ったユーザＩＤに基づいて、送受信部２０７を介してユーザ端末３０へ送信する。また、クーポン送付処理部２０５は、受け取った選択情報及びユーザＩＤと、取得したクーポンの種別を一時的に記憶する。このとき、送付される選択クーポン表示情報に含まれる店舗名が利用有効店舗名となる。
【００６７】
クーポン送付処理部２０５は、送受信部２０７を介してユーザ端末３０から、ダウンロード開始指示情報を受け取ると、一時的に記憶しており、且つ受け取ったダウンロード開始指示情報に含まれるユーザＩＤと同一であるユーザＩＤと、当該ユーザＩＤに対応付けられたクーポンの種別とを課金処理部２０６へ出力する。
クーポン送付処理部２０５は、課金処理部２０６から、クーポンを送付する旨の送付指示と、ユーザＩＤとを受け取ると、受け取ったユーザＩＤに対応付けて一時的に記憶している選択情報及び店舗ＩＤを用いて、店舗名と、クーポンの種別、及び割引情報を取得する。さらに、クーポン送付処理部２０５は、選択情報が示すクーポン情報に対応するクーポン管理情報に割り当てられた日付及び時間帯と、クーポン管理情報記憶部２０１に記憶されている利用条件とから利用情報を生成する。クーポン送付処理部２０５は、取得した店舗名、クーポンの種別、割引情報、及び生成した利用情報からなるクーポンを生成し、生成したクーポンと、第６のフォームを含む取得クーポン表示情報を、受け取ったユーザに基づいて、送受信部２０７を介してユーザ端末３０へ送信する。このとき、送付される取得クーポン表示情報に含まれる店舗名が利用有効店舗名となる。
【００６８】
クーポン送付処理部２０５は、クーポンの送付後、送付したクーポンの利用可能枚数を１減算することにより更新する。
（５）課金処理部２０６
課金処理部２０６は第５のフォームを予め記憶している。
課金処理部２０６は、非会員がクーポンを要求する際の販売価格を、クーポンの種別毎に、それぞれに対応付けて記憶している。５０％割クーポン及び３０％割クーポンのそれぞれの販売価格は、例えば、５２５円、２１０円である。
【００６９】
課金処理部２０６は、クーポン送付処理部２０５からユーザＩＤとクーポンの種別とを受け取ると、受け取ったユーザＩＤと同一のユーザＩＤがユーザＩＤ記憶部２０３に存在するか否かを、つまり受け取ったユーザＩＤを有するユーザが会員であるか否かを判断する。
会員であると判断する場合には、課金処理部２０６は、送付指示と、ユーザＩＤとをクーポン送付処理部２０５へ出力する。
【００７０】
会員でないと判断する場合には、課金処理部２０６は、受け取ったクーポンの種別に対応する販売価格を取得し、取得した販売価格を含む課金確認情報を生成し、生成した課金確認情報と、取得したクーポンの種別と第５のフォームとを含む課金確認表示情報を、受け取ったユーザＩＤに基づいて、送受信部２０７を介してユーザ端末３０へ送信する。課金処理部２０６は、送受信部２０７を介してユーザ端末３０から、承諾情報とユーザＩＤとを受け取ると、課金処理を行い、ユーザへ販売した価格と、当該ユーザのユーザＩＤとを、ユーザ端末の通信費などを請求する通信管理会社へ送信する。また、課金処理部２０６は、送付指示と、ユーザＩＤとをクーポン送付処理部２０５へ出力する。
【００７１】
非会員のユーザであっても、通信管理会社がユーザにクーポンを購入した価格を請求し、ユーザから徴収することにより、ユーザはクーポンを購入することができる。
（６）送受信部２０７
送受信部２０７は、クーポン管理表示情報を、ネットワーク４０を介して店舗端末１０へ送信する。
【００７２】
送受信部２０７は、ネットワーク４０を介して店舗端末１０から受け取った編集開始情報及び登録情報を登録処理部２０４へ出力する。
送受信部２０７は、検索表示情報、検索結果表示情報、店舗案内表示情報、選択クーポン表示情報、課金確認表示情報及び取得クーポン表示情報を、ネットワーク４０を介して店舗端末１０へ送信する。
【００７３】
送受信部２０７は、ネットワーク４０を介してユーザ端末３０から受け取ったユーザＩＤと検索条件、店舗名、選択情報及びダウンロード開始指示情報をクーポン送付処理部２０５へ出力する。また、送受信部２０７は、ネットワーク４０を介してユーザ端末３０から受け取ったユーザＩＤと承諾情報を課金処理部２０６へ出力する。
１．５  クーポン管理情報の登録処理の動作
ここでは、クーポン管理情報の登録に係る処理について、図１３にて示す流れ図を用いて説明する。
【００７４】
店舗端末１０の編集部１０２は、編集開始情報を管理装置２０へ送信する（ステップＳ５）。
管理装置２０の登録処理部２０４は、店舗端末１０から、編集開始情報を受け取ると、受け取った編集開始情報に含まれる店舗ＩＤに対応し、且つ現在日を含む月に割り当てられた対応する複数のクーポン管理情報を取得する。登録処理部２０４は、取得した複数のクーポン管理情報と、これらクーポン管理情報に割り当てられた各時間情報と、前記月表示フォームとを含むクーポン管理表示情報を、送受信部２０７を介して店舗端末１０へ送信する（ステップＳ１０）。なお、送信した店舗ＩＤに対応するクーポン管理情報が管理装置２０に存在しない場合には、複数のパターン情報と、これらパターン情報に割り当てられた各時間情報と、前記月表示フォームとを含むクーポン管理表示情報を店舗端末１０へ送信する。
【００７５】
編集部１０２は、クーポン管理表示情報を受け取ると、表示部１０４により月間管理画面Ｍ１０とを表示する（ステップＳ１５）。
編集部１０２は、月間管理画面Ｍ１０からデイリー管理画面Ｍ１１への移行の指示を受け付けたか否かを判断する（ステップＳ２０）。
受け付けていないと判断する場合には（ステップＳ２０における「ＮＯ」）、編集部１０２は、月間管理画面Ｍ１０を用いてクーポン管理情報の編集を行う（ステップＳ２５）。
【００７６】
受け付けたと判断する場合には（ステップＳ２０における「ＹＥＳ」）、編集部１０２は、デイリー管理画面Ｍ１１を用いてクーポン管理情報の編集を行う（ステップＳ３０）。
編集部１０２は、ユーザ操作により登録指示を受け取ると、登録情報を管理装置２０へ送信する（ステップＳ３５）。
【００７７】
管理装置２０の登録処理部２０４は、店舗端末１０から、登録情報を受け取ると、クーポン管理情報記憶部２０１において、受け取った登録情報に含まれる店舗ＩＤと同一の店舗ＩＤに割り当てられたクーポン管理情報を、抽出したクーポン管理情報へと更新する（ステップＳ４０）。なお、抽出した店舗ＩＤに対応するクーポン管理情報が、クーポン管理情報に存在しない場合には、登録処理部２０４は、抽出した全てのクーポン管理情報を、抽出した店舗ＩＤと対応付けて、記憶する。
【００７８】
１．６  クーポン取得処理の動作
ここでは、クーポン取得に係る処理について、図１４、１５にて示す流れ図を用いて、説明する。
ユーザ端末３０のクーポン表示処理部３１０は、検索画面Ｍ３０が表示されている間に、ユーザ操作にて検索条件が入力され、検索ボタンが押下されると、ユーザＩＤと検索条件とを管理装置２０へ送信する（ステップＳ１００）。
【００７９】
管理装置２０のクーポン送付処理部２０５は、ユーザＩＤと検索条件とをユーザ端末から受け取ると、検索条件を満たす１つ以上の店舗名を取得する。クーポン送付処理部２０５は、取得した１つ以上の店舗名を検索結果として含む検索結果表示情報を、受け取ったユーザＩＤに基づいてユーザ端末３０へ送信する（ステップＳ１０５）。
クーポン表示処理部３１０は、検索結果表示情報を受け取ると、表示部３０５により検索結果画面Ｍ３１を表示し（ステップＳ１１０）、ユーザ操作にて店舗が指定されると、ユーザＩＤと指定された店舗名とを管理装置２０へ送信する（ステップＳ１２０）。
【００８０】
クーポン送付処理部２０５は、ユーザＩＤと指定された店舗名とをユーザ端末３０から受け取ると、受け取った店舗名に対応する店舗案内情報を、クーポン管理情報記憶部２０１から取得し、さらに、ステップＳ１０５の処理にて生成した１つ以上のクーポン情報群のうち、受け取った店舗名に対応するクーポン情報群を取得する。クーポン送付処理部２０５は、取得した店舗案内情報及びクーポン情報群と、店舗名と、第３のフォームとを含む店舗案内表示情報をユーザ端末３０へ送信する（ステップＳ１２５）。
【００８１】
クーポン表示処理部３１０は、管理装置２０から店舗案内表示情報を受け取ると、表示部３０５により店舗案内画面Ｍ３２を表示し（ステップＳ１３０）、ユーザ操作にてクーポンの選択がなされると、選択されたクーポンを示す選択情報とユーザＩＤとを管理装置２０へ送信する（ステップＳ１４０）。
クーポン送付処理部２０５は、ユーザＩＤと選択情報とを、送受信部２０７を介してユーザ端末３０から受け取ると、店舗名、クーポンの種別、割引情報を取得する。また、クーポン送付処理部２０５は、クーポン詳細情報を生成する。クーポン送付処理部２０５は、取得した店舗名、クーポンの種別、及び割引情報と、生成したクーポン詳細情報と、第４のフォームとを含む選択クーポン表示情報を、受け取ったユーザＩＤに基づいて、送受信部２０７を介してユーザ端末３０へ送信する（ステップＳ１４５）。また、クーポン送付処理部２０５は、受け取った選択情報及びユーザＩＤと、取得したクーポンの種別を一時的に記憶する。
【００８２】
クーポン表示処理部３１０は、選択クーポン表示情報を受け取ると、表示部３０５により選択クーポン確認画面Ｍ３３を表示する（ステップＳ１５０）。
ダウンロード処理部３１１は、ユーザ操作にてダウンロードボタンＭ３３１が押下されると、ダウンロード開始指示情報を管理装置２０へ送信する（ステップＳ１６０）。
管理装置２０の課金処理部２０６は、ユーザ端末３０から受け取ったユーザＩＤと同一のユーザＩＤがユーザＩＤ記憶部に存在するか否かを判断する（ステップＳ１６５）。つまり課金処理部２０６は、受け取ったユーザＩＤを有するユーザが会員であるか否かを判断する。
【００８３】
会員であると判断する場合には（ステップＳ１６５における「ＹＥＳ」）、課金処理部２０６からの送付指示に基づいて、クーポン送付処理部２０５は、ユーザＩＤに対応する一時的に記憶している選択情報及び店舗ＩＤを用いてクーポンを生成し、生成したクーポンと第６のフォームとを取得クーポン表示情報を、ユーザ端末３０へ送信する（ステップＳ１９５）。
【００８４】
会員でないと判断する場合には（ステップＳ１６５における「ＮＯ」）、課金処理部２０６は、受け取った選択情報が示すクーポンに対応する販売価格を含む課金情報を生成し、生成した課金情報を含む課金確認表示情報をユーザ端末３０へ送信する（ステップＳ１７０）。
ダウンロード処理部３１１は、ダウンロードボタンＭ３３１が押下後に、課金確認表示情報を管理装置２０から受け取ると、表示部３０５により課金確認画面Ｍ３４を表示し（ステップＳ１７５）、ユーザ操作により同意メッセージＭ３４１が押下（選択）されると、承諾情報とユーザＩＤとを管理装置２０へ送信する（ステップＳ１８５）。
【００８５】
課金処理部２０６は、ユーザ端末３０から、承諾情報とユーザＩＤとを受け取ると、課金処理を行い、ユーザへ販売した価格と、当該ユーザのユーザＩＤとを、通信管理会社へ送信する（ステップＳ１９０）。
クーポン送付処理部２０５は、課金処理部２０６による送付指示に基づいて、ステップＳ１９５を実行する。
【００８６】
ダウンロード処理部３１１は、取得クーポン表示情報を受け取ると、表示部３０５により取得クーポン表示画面Ｍ３５を表示し（ステップＳ２００）、ユーザ操作により保存の指示がなされると、表示されたクーポンを、クーポン記憶部３０２へ保存する（ステップＳ２１０）。
１．７  変形例
上記に説明した実施の形態は、本発明の実施の形態の一例であり、本発明はこの実施の形態に何ら限定されるものではなく、その旨を逸脱しない範囲において主な態様で実施し得るものである。以下のような場合も本発明に含まれる。
【００８７】
（１）上記実施の形態において、検索結果画面Ｍ３１、店舗案内画面Ｍ３２、選択クーポン確認画面Ｍ３３へと順次遷移したが、これに限定されない。
例えば、店舗案内画面Ｍ３２を介さずに検索結果画面Ｍ３１から選択クーポン確認画面Ｍ３３へと画面遷移してもよい。
この場合、検索結果画面Ｍ３１に含まれるクーポン情報群Ｍ３１１の１以上のクーポン情報それぞれは、店舗案内画面Ｍ３２に含まれるクーポン情報群Ｍ３２０を構成する１つ以上のクーポン情報と同様に、一種のボタンとして押下することにより、クーポン詳細情報を表示することで実現できる。
【００８８】
（２）上記実施の形態において、月間管理画面Ｍ１０及びデイリー管理画面Ｍ１１を用いて、クーポン管理情報の登録や変更を行ったが、これに限定されない。
クーポン配布システム１を予約の管理を行うシステム（予約管理システム）と連動させ、予約がキャンセルされると、当該予約がなされていた時間帯に対して、他の時間帯よりも割引率の高いクーポン又は値引きが大きいクーポンを含むクーポン管理情報を自動的に発行するようにしてもよい。
【００８９】
予約がされていた時間帯においてキャンセルが発生すると、当該時間帯に見込まれた集客が少なくなる、つまり当該時間帯の集客が弱くなるが、当該時間帯に対してクーポンを発行することにより、当該時間帯において集客が見込まれる（キャンセルの穴埋めを図ることができる）。
または、ＰＯＳ（Ｐｏｉｎｔ  Ｏｆ  Ｓａｌｅｓ）システムを利用して店舗の営業時間帯のうち閑散時間帯（集客の弱い時間帯）を抽出し、当該閑散時間帯に対して他の時間帯よりも割引率の高いクーポン又は値引きが大きいクーポンを含むクーポン管理情報を発行するようにしてもよい。
【００９０】
つまり、集客の弱い時間帯に対して、他の時間帯にて利用されるクーポンより割引率の高いクーポンを発行する仕組みであればよい。
（３）上記実施の形態において、店舗端末１０は、飲食業を営む店舗に具備されているとしたが、これに限定されない。店舗端末１０は、宿泊サービス（例えば、ホテル）、レンタルサービス（例えば、レンタカー業務）、エンターテイメントサービス（例えば、映画館）のようなサービス業を営む店舗に具備されてもよい。
【００９１】
（４）上記実施の形態において、クーポン配布システム１に含まれる店舗端末１０の台数は、１台として説明したが、これに限定されない。クーポン配布システム１に含まれる店舗端末１０の台数は、少なくともクーポン配布システム１に参加する店舗数と同数であればよい。
（５）上記実施の形態において、クーポンの種別の割り当て（クーポン管理情報の生成）は店舗端末側で行い、管理装置が割り当てられたクーポンの種別（クーポン管理情報）に基づいてクーポンを発行したが、これに限定されない。
【００９２】
クーポンの種別の割り当ては、管理装置側で行ってもよい。
例えば、管理装置は、ユーザからクーポンの発行の要求が合った場合に、発行すべきクーポンの種類を決定し、決定したクーポンの種類に基づいてクーポンを発行していもよい。このとき、管理装置は、店舗端末を備える店舗における時間帯毎の集客の程度、及び５０％割クーポン及び３０％割クーポンそれぞれの発行枚数の上限を予め記憶し、
店舗を示す店舗名及び利用時間帯を指定したクーポン発行要求をユーザ端末から受け取ると、前記クーポン発行要求により指定された店舗及び利用時間帯に応じた集客の程度を読み出し、当該店舗及び利用時間帯における集客の程度が低いほど、サービスに対する代金の割引が高くなるように割引を決定する、つまりクーポンの種別を決定し、決定した割引を示すクーポンを生成し、生成した前記クーポンを前記ユーザ端末へ送信することで、実現できる。割引の決定、つまりクーポンの種別の決定方法は、例えば、以下のようにして行う。管理装置は、５０％割クーポンの発行枚数が上限に達するまで５０％割クーポンを生成するクーポンの種別として決定し、５０％割クーポンの発行枚数が上限に達すると３０％割クーポンを生成するクーポンの種別として決定する。
【００９３】
（６）上記実施の形態において、クーポン管理情報の編集を行う際には、現在日を含む月を、月間管理画面Ｍ１０により表示するとしたが、これに限定されない。
店舗側にて指定した月を、月間管理画面Ｍ１０により表示して、表示中の月におけるクーポン管理情報の編集を行ってもよい。
この場合、店舗端末１０は、ユーザ操作により編集対象の月を受け付け、編集開始情報とともに、受け付けた月を示す編集対象月情報を管理装置２０へ送信する。管理装置２０は、編集対象月情報が示す月に割り当てられた複数のクーポン管理情報を取得し、取得した複数のクーポン管理情報と、これらクーポン管理情報に割り当てられた時間情報と、月表示フォームとからなるクーポン管理表示情報を店舗端末１０へ送信する。
【００９４】
これにより、店舗端末１０は、ユーザにより指定された月において、クーポン管理情報の編集を行うことができる。
（７）上記実施の形態において、管理装置２０は、店舗端末１０から受け取った店舗ＩＤに対応するクーポン管理情報が管理装置２０に存在しない場合、１つ以上のパターン情報と、各パターン情報に割り当てられた各時間情報と、月表示フォームとからなるクーポン管理表示情報を店舗端末１０へ送信したが、これに限定されない。
【００９５】
例えば、管理装置２０は、受け取った店舗ＩＤに対応するクーポン管理情報が管理装置２０に存在しない場合には、発行される１つ以上のクーポンそれぞれに割り当てが可能な時間帯を示す割当時間情報と、月表示フォームとからなるクーポン管理表示情報を店舗端末１０へ送信してもよい。この場合、月間管理画面Ｍ１０では、カレンダーのみの表示であってもよいし、日別毎に、各クーポンの割当枚数として所定値（例えば、０）を表示してもよい。デイリー管理画面M１１の場合には、カレンダーのみの表示を行う。このとき、月間管理画面Ｍ１０においてカレンダーのみ表示する場合には、デイリー管理画面M１１を用いて、編集したいクーポンの種別と、クーポンを割り当てる時間帯と、割り当てる枚数とを指定することにより、クーポン管理情報を日別毎に編集する。
【００９６】
また、割当時間情報と、月表示フォームとからなるクーポン管理表示情報を店舗端末１０へ送信する場合には、管理装置２０は、送信する割当時間情報のうち所定の時間帯毎に、当該時間帯が集客の弱い時間帯であるか、それ以外の時間帯であるか否かを示す集客識別情報を付与してもよい。この場合、クーポン管理情報の編集は、デイリー管理画面M１１を用いて行われる。店舗側は、集客識別情報を用いることにより、所定の時間毎に分けられた各時間帯集客が弱い時間帯であるか否かの判別が容易にでき、各クーポン管理情報の編集が簡単にできる。
【００９７】
（８）割当時間情報と、月表示フォームとからなるクーポン管理表示情報を店舗端末１０へ送信する際に、集客識別情報が付与される場合、店舗端末１０は、規模を示す規模情報（例えば、収容人員）の基づいて、発行されるクーポンの枚数を決定してもよい。なお、規模情報は予め記憶しておいてもよいし、ユーザ操作により受け付けてもよい。
これによると、店舗端末１０は、収容人員に対して所定の割合以上の集客を図ることができるように、クーポンの発行枚数を決定することができる。
【００９８】
ここで、収容人員を５０人とし、1枚のクーポンを４名からなるグループが利用し、ある時間帯において収容人員に対して少なくとも５０％の集客を図りたい場合を考える。このとき、店舗端末１０は、例えば、当該時間帯に対して、５０％割クーポンを５枚、３０％割クーポン２枚を割り当てることで、収容人員に対して少なくとも５０％の集客を図ることができる。
【００９９】
この場合、店舗端末は、サービス提供者が提供するサービスの規模を示す規模情報を取得する取得手段と、各時間帯において、受け取った時間情報及び集客識別情報とを用いて、クーポンの種別及び発行枚数を決定する決定手段と、決定したクーポンの種別及び発行枚数からなるクーポン管理情報を管理装置へ送信する送信手段とを備えることで上記の技術を実現することができる。
【０１００】
また、店舗端末は、さらに、決定されたクーポンの種別及び発行枚数を補正する補正手段を備えてもよい。この場合、送信手段は、決定したクーポンの種別及び発行枚数からなるクーポン管理情報の代わりに、補正後のクーポンの種別及び発行枚数からなるクーポン管理情報を送信する。
（９）上記実施の形態において、クーポン管理情報を、管理装置２０へ登録する際には、店舗端末１０は、表示中の全てのクーポン管理情報を管理装置２０へ送信するとしたが、これに限定されない。
【０１０１】
店舗端末１０は、変更された１つ以上のクーポン管理情報、及び新たに生成された１つ以上のクーポン管理情報のみを送信する構成であってもよい。
（１０）上記実施の形態において、クーポン配布システム１は、クーポン管理情報が割り当てられた後、当該クーポン管理情報に基づいて発行されたクーポンの利用状況を管理し、利用状況に応じて、それ以後のパターン情報を生成するようにしてもよい。
【０１０２】
例えば、以下のように動作により実現できる。
店舗端末１０は、利用者にて掲示されたクーポンの種別及び利用有効期間とを受け付け、受け付けたクーポンの種別及び利用有効期間を管理装置２０へ送信する。
管理装置２０は、クーポンの利用状況を管理するために、店舗端末１０にて生成されたクーポン管理情報と、当該クーポン管理情報が割り当てられた時間帯とを対応付けて記憶している第１の記憶部を有している。また、管理装置２０は、第２の記憶部をも有しており、店舗端末１０から利用されたクーポンの種別及び利用有効期間とを受け取ると、受け取ったクーポンの種別及び利用有効期間とからなる情報を利用確認情報として第２の記憶部へ記憶する。第２の記憶部には、クーポンの種別と利用有効期間とが共に同じである利用確認情報が、多くとも当該クーポンの利用可能枚数と同一の数だけ記憶される。
【０１０３】
管理装置２０は、所定の日時になると、第１及び第２の記憶部の内容に基づいて、ある時間帯に割り当てられたクーポンに対して利用可能枚数のうち何枚利用されたか否かを調べる。利用可能枚数と同一の枚数が利用されている場合には、管理装置２０は、クーポンの種別は同一で、発行枚数を前回割り当てた利用可能枚数より少ない利用可能枚数とし、当該時間帯に割り当てるパターン情報を生成する。利用可能枚数と同一の枚数が利用されている場合には、管理装置２０は、当該時間帯に対して、前回と同一のパターン情報を生成する。
【０１０４】
なお、生成するパターン情報は、発行枚数は同一で、クーポンの種別を前回割り当てたものとは異なる種別（割引が低いもの）を割り当ててもよい。
上記においては、利用可能枚数と同一の枚数が利用された場合に、それ以後に割り当てる利用可能枚数若しくはクーポンの種別を変更するようにしたが、これに限定されない。利用可能枚数に対する利用枚数の割合に応じて、利用可能枚数若しくはクーポンの種別を変更するようにしてもよい。例えば、利用可能枚数に対して利用枚数が半数以上である場合に、クーポンの種別を前回割り当てたものとは異なる種別（割引が低いもの）を割り当てる。また、利用可能枚数に対する利用枚数の割合が大きいほど、利用可能枚数を少なくする。
【０１０５】
これにより、管理装置２０は、利用状況に応じたパターン情報を生成することができ、店舗端末１０は、利用状況に応じたパターン情報を用いてクーポン管理情報を編集することができる。
また、上記において、管理装置２０が利用状況に応じてパターン情報を変更するとしたが、これに限定されない。
【０１０６】
店舗端末１０が、管理装置２０から受け取ったパターン情報を用いて、利用状況に応じたクーポン管理情報を編集するようにしてもよい。この場合、利用状況を調べるのは、上述したように管理装置２０が行い、その結果を店舗端末１０に通知してもよいし、店舗端末１０が、上述した第１及び第２の記憶部を有し、自端末にて、利用可能枚数のうち何枚利用されたか否かを調べてもよい。
【０１０７】
（１１）上記実施の形態及び上記変形例をそれぞれ組み合わせるとしてもよい。
【産業上の利用可能性】
【０１０８】
本発明は、顧客の集客を図りたいサービス産業において、経営的、つまり反復的かつ継続的に利用されうる。
【図面の簡単な説明】
【０１０９】
【図１】クーポン配布システム１の概要を示す図である。
【図２】店舗端末１０の構成を示すブロック図である。
【図３】月間管理画面Ｍ１０を示す図である。
【図４】デイリー管理画面Ｍ１１を示す図である。
【図５】ユーザ端末３０を示す図である。
【図６】検索画面Ｍ３０の一例を示す図である。
【図７】検索結果画面Ｍ３１の一例を示す図である。
【図８】店舗案内画面Ｍ３２の一例を示す図である。
【図９】選択クーポン確認画面Ｍ３３の一例を示す図である。
【図１０】課金確認画面Ｍ３４の一例を示す図である。
【図１１】取得クーポン表示画面Ｍ３５の一例を示す図である。
【図１２】管理装置２０の構成を示すブロック図である。
【図１３】クーポン管理情報の登録処理の動作を示す流れ図である。
【図１４】クーポン取得処理の動作を示す流れ図である。図１５へ続く。
【図１５】クーポン取得処理の動作を示す流れ図である。図１４から続く。
【符号の説明】
【０１１０】
１    クーポン配布システム
１０    店舗端末
２０    管理装置
３０    ユーザ端末
４０    ネットワーク
１０１    店舗ＩＤ記憶部
１０２    編集部
１０３    入力部
１０４    表示部
１０５    送受信部
２０１    クーポン管理情報記憶部
２０２    店舗ＩＤ記憶部
２０３    ユーザＩＤ記憶部
２０４    登録処理部
２０５    クーポン送付処理部
２０６    課金処理部
２０７    送受信部
３０１    ユーザＩＤ記憶部
３０２    クーポン記憶部
３０３    制御部
３０４    入力部
３０５    表示部
３０６    送受信部
３１０    クーポン表示処理部
３１１    ダウンロード処理部
【図１】
2010055360.tif 000003
【図２】
2010055360.tif 000004
【図３】
2010055360.tif 000005
【図４】
2010055360.tif 000006
【図５】
2010055360.tif 000007
【図６】
2010055360.tif 000008
【図７】
2010055360.tif 000009
【図８】
2010055360.tif 000010
【図９】
2010055360.tif 000011
【図１０】
2010055360.tif 000012
【図１１】
2010055360.tif 000013
【図１２】
2010055360.tif 000014
【図１３】
2010055360.tif 000015
【図１４】
2010055360.tif 000016
【図１５】
2010055360.tif 000017